(57)【要約】      （修正有）【課題】パネル土留による土留工事において、会所部分と管路部分間のコーナー部分の地山壁の崩壊を防止するための、コーナー用ウイング土留装置を提供する。【解決手段】左右一対の会所用パネル１の端部垂直方向の所定の位置に複数のピン孔２と、所定の位置で、内角が９０度超、１８０度未満の角度で形成されており、外側端部付近に該会所用パネルの複数のピン孔との連結用ピン孔３が設けられ、他端部が左右一対の管路用パネルの各外側先端部分に当接する、左右一対、上下２段以上の腹起し５と、該各ピン孔を貫通する連結ピン６から構成されることを特徴とする。【選択図】図２
0003187659.tif 000002
【実用新案登録請求の範囲】
【請求項１】
パネル土留による土留工事において、会所部分と管路部分間のコーナー部分の地山壁の崩壊を防止するため、左右一対の会所用パネルの端部垂直方向の所定の位置に複数のピン孔と、所定の位置で、内角が９０度超、１８０度未満の角度で形成されており、外側端部付近に該会所用パネルの複数のピン孔との連結用ピン孔が設けられ、他端部が左右一対の管路用パネルの各外側先端部分に当接する、左右一対、上下２段以上の腹起しと、該各ピン孔を貫通する連結ピンから構成されることを特徴とするコーナー用ウイング土留装置。
【請求項２】
平面視三角形で、所定の位置にピン孔が設けられた楔と、腹起しの所定の位置に楔連結用ピン孔と、該各ピン孔を貫通する連結ピンを備えた請求項１に記載のコーナー用ウイング土留装置。
【請求項３】
掘削された会所部分の溝内に設置された左右一対の会所用パネルに、前記請求項１記載の、コーナー用ウイング土留装置を所定の高さに、左右一対、上下２段以上取り付けた後、該コーナー用ウイング土留装置の腹起しに、矢板を順次必要枚数建て込み、土留壁を形成し、土留を行うことを特徴とするコーナー用ウイング土留工法。
【考案の詳細な説明】
【技術分野】
【０００１】  本考案は、コーナー用ウイング土留装置及び土留工法に関するものである。
【背景技術】
【０００２】  パネル土留による土留工事において、会所部と管路部間のコーナー部分の土留を行うための矢板を押さえる部材として、ターンバックルやチェーンが従来から用いられていた。【０００３】  すなわち、左右一対の会所用パネルの一端と、左右一対の管路用パネルの一端とを、所定の位置で、該ターンバックルやチェーンで連結し、矢板を必要枚数順次建て込み、土留壁を形成し、土留を行っていた。
【考案の概要】
【考案が解決しようとする課題】
【０００４】  しかしながら、ターンバックルやチェーンではどうしても弛みが生じ、これに支持されている矢板も不安定となり、これらに形成されている土留壁の土圧に対する強度も不足し、コーナー部分の掘削箇所に崩壊の恐れがあった。【０００５】  本考案はこのような事情に鑑みてなされたもので、パネル土留による土留工事において、会所部分と管路部分間のコーナー部分の土留を行うために使用するコーナー用ウイング土留装置及び土留工法の提供をその目的とする。
【課題を解決するための手段】
【０００６】  本考案に係るコーナー用ウイング土留装置は、前記の目的を達成するために、左右一対の会所用パネルの端部垂直方向の所定の位置に複数のピン孔と、所定の位置で、内角が９０度超、１８０度未満の角度で形成されており、外側端部付近に該会所用パネルの複数のピン孔との連結ピン孔が設けられ、他端部が左右一対の管路用パネルの各外側先端部分に当接する、左右一対、上下２段以上の腹起しと、該各ピン孔を貫通する連結用ピンからなる。【０００７】  平面視三角形で、所定の位置にピン孔が設けられた楔と、腹起しの所定の位置に楔用ピン孔と、該各ピン孔を貫通する連結ピンを備えるのがよい。【０００８】  また、本考案に係る土留工法は、掘削された会所部分の溝内に設置された左右一対の会所用パネルに、前記請求項１記載の、コーナー用ウイング土留装置を所定の高さに、左右一対、上下２段以上取り付けた後、該コーナー用ウイング装置の腹起しに矢板を順次必要枚数建て込み、土留壁を形成し、土留を行うことを特徴とする。【０００９】  本考案の矢板は、特に限定されず、木矢板、鋼矢板（シートパイル）、軽量鋼矢板（トレンチパイル）等の一般に矢板と呼ばれるものを使用すればよい。【００１０】  本考案の腹起しは、所定の位置で、内角が９０度超、１８０度未満の角度で形成されており、外側端部付近に該会所用パネルの複数のピン孔との連結用ピン孔が設けられ、他端部が左右一対の管路用パネルの各外側先端部分に当接する。【００１１】  また本考案の腹起しは、互いに接合された複数本の、あるいは、曲成された１本の部材で構成され、部材としては、一般に腹起しの部材として使用されるＨ型鋼、角パイプ、アングル等の型鋼、軽量型鋼、あるいは口、日、目等の断面形状を有するアルミ押出形材が用いられる。【００１２】  本考案の腹起しと会所用パネル土留との連結構造は、特に限定されない。またこれらの連結位置を調節ないし調整可能にすることは何ら妨げない。【００１３】  本考案の腹起しの本数及びその配置は、外側からの土圧、腹起しの形状、強度等を考慮して、各腹起しが土圧に耐えうるよう決定すればよい。
【考案の効果】
【００１４】  本考案においては、会所用パネルピン孔と、腹起しピン孔とを、連結ピンで接続すると、該腹起しの他端部は、管路用パネルの各外側先端部分に当たり、それ以上内側には動かない。【００１５】  この状態で該腹起しに矢板を順次必要枚数建て込み、土留壁を形成すれば、容易にコーナー部分の土留が完成する。【００１６】  また、該腹起しは強度においても、土圧に十分に耐える部材を使用しているので、従来のように、矢板が不安定となったり、強度不足となる不具合が解消されることになった。【００１７】  さらに、土留が不完全なコーナー部分の掘削溝内に立ち入って、危険な作業を行っていた作業員の安全も確保されることになった。【００１８】  請求項２により、使用状態において、会所用パネルと、腹起しの接触面の間に、楔を挿入するだけで、溶接された腹起しの角度の調整が可能となった。
【図面の簡単な説明】
【００１９】
【図１】  本発明の実施形態の具体例を表わす全体平面図
【図２】  本発明の会所用パネルと腹起しとの接合部分の斜視図
【図３】  本発明の腹起しと楔との接合部分の斜視図
【図４】  作業手順を示す説明図
【考案を実施するための形態】
【００２０】  パネル土留による土留工事において、会所部分と管路部分間のコーナー部分の土留を行うために、本考案のコーナー用ウイング土留装置８は、左右一対の会所用パネル１の端部垂直方向の所定の位置に複数の会所用パネルピン孔２と、外側端部付近に、複数の該会所用パネルピン孔２とヒンジ連結可能な、腹起しピン孔３が設けられ、他端部が左右一対の管路用パネル４の各外側先端部分に当接する角度で形成された、左右一対、上下２段の腹起し５と、該各ピン孔を貫通する連結ピン６を備える。
【００２１】  上記腹起し５は、前記の通り他端部が左右一対の管路用パネル４の各外側先端部分に当接する角度となるよう、所定の位置で二本の角形鋼管を溶接し、形成されている。
【００２２】  また、腹起し５の大きさ及び素材は、掘削される溝を横断する配管の外径、受け止める土留壁の面積及びこれが受ける上圧等を考慮して決定すればよい。
【００２３】  コーナー用ウイング土留装置８を設置するに当たっては、左右一対の会所用パネル土留９の会所用パネル１の端部垂直方向の所定の位置に設けられた、上下２段の会所用パネルピン孔２と、左右一対、上下２段の腹起し５の外側端部付近に設けられた腹起しピン孔３を重ねあわせ、上方より連結ピン６を挿入する。
【００２４】  前記により、片持ちで会所用パネル土留９と連結されている左右一対、上下２段の腹起し５のフリーな状態の他端部を、管路用パネル４の外側先端部分に当接させる。
【００２５】  この状態で矢板７を、腹起し５に順次建て込み、土留壁を形成すれば、土圧がかかると、腹起し５は、管路用パネル土留１０にしっかりと固定し、コーナー部分の土留は完成する。
【００２６】  また、矢板７の形状、大きさは及び素材は、掘削深さ、土圧等を考慮して決定すればよく、この実施例では、市販されているアルミ製矢板を用いている。
【００２７】  一つの会所あたり、コーナー部分は、２カ所あるので、前記［００２３］〜［００２５］までの作業を順次行う。なお、この作業は、現場の状況に応じて同時に行ってもよい。
【符号の説明】
【００２８】１…会所用パネル
２…会所用パネルピン孔
３…腹起しピン孔
４…管路用パネル
５…腹起し
６…連結ピン
７…矢板
８…コーナー用ウイング土留装置
９…会所用パネル土留
１０…管路用パネル土留
１１…楔
１２…楔ピン孔
１３…楔連結ピン孔
【図１】
0003187659.tif 000003
【図２】
0003187659.tif 000004
【図３】
0003187659.tif 000005
【図４】
0003187659.tif 000006
【手続補正書】
【提出日】平成25年9月20日(2013.9.20)
【手続補正１】
【補正対象書類名】実用新案登録請求の範囲
【補正対象項目名】全文
【補正方法】変更
【補正の内容】
【実用新案登録請求の範囲】
【請求項１】
パネル土留による土留工事において、会所部分と管路部分間のコーナー部分の地山壁の崩壊を防止するため、左右一対の会所用パネルの端部垂直方向の所定の位置に複数のピン孔と、所定の位置で、内角が９０度超、１８０度未満の角度で形成されており、外側端部付近に該会所用パネルの複数のピン孔との連結用ピン孔が設けられ、他端部が左右一対の管路用パネルの各外側先端部分に当接する、左右一対、上下２段以上の腹起しと、該各ピン孔を貫通する連結ピンから構成されることを特徴とするコーナー用ウイング土留装置。
【請求項２】
平面視三角形で、所定の位置にピン孔が設けられた楔と、腹起しの所定の位置に楔連結用ピン孔と、該各ピン孔を貫通する連結ピンを備えた請求項１に記載のコーナー用ウイング土留装置。